(57)【特許請求の範囲】
【請求項１】
原稿を載置する原稿載置台と、
この原稿載置台に設けられ、原稿を当接させて位置決めする原稿突当面を有する位置決め部材と、
前記位置決め部材の両端部を固定する第１及び第２の固定部材と、
前記位置決め部材に前記第１及び第２の固定部材間に位置して形成され、前記位置決め部材が熱膨張したときその膨脹分を逃がす第１及び第２の切欠部と、
を具備し、
前記第１及び第２の切欠部は前記原稿突当面から前記第１及び第２の固定部材を結ぶ線分に向かって形成され、その長さを前記原稿突当面から前記線分までの長さよりも大とすることを特徴とする原稿位置決め装置。
【請求項２】
原稿を載置する原稿載置台と、
この原稿載置台に設けられ、原稿を当接させて位置決めする原稿突当面を有する位置決め部材と、
前記位置決め部材の両端部を固定する第１及び第２の固定部材と、
前記位置決め部材に前記第１及び第２の固定部材間に位置して形成され、前記位置決め部材が熱膨張したときその膨脹分を逃がす第１及び第２の切欠部と、
前記第１及び第２の切欠部は前記原稿突当面から前記第１及び第２の固定部材を結ぶ線分に向かって形成され、その長さを前記原稿突当面から前記線分までの長さよりも大とし、かつ、幅寸法Ｗが、
式  Ｗ＝前記位置決め部の熱膨脹率×厚さ寸法×幅寸法／２×温度
で得られることを特徴とする原稿位置決め装置。
【請求項３】
原稿を載置する原稿載置台と、
この原稿載置台に設けられ、原稿を当接させて位置決めする原稿突当面を有する位置決め部材と、
この位置決め部材により位置決めされた原稿に光を走査する光走査手段と、
この光走査手段により光が走査されて前記原稿から反射される光を受光して原稿像を読取り読取り手段と、
前記位置決め部材の両端部を固定する第１及び第２の固定部材と、
前記位置決め部材に前記第１及び第２の固定部材間に位置して形成され、前記位置決め部材が熱膨張したときその膨脹分を逃がす第１及び第２の切欠部と、
を具備し、
前記第１及び第２の切欠部は前記原稿突当面から前記第１及び第２の固定部材を結ぶ線分に向かって形成され、その長さを前記原稿突当面から前記線分までの長さよりも大とすることを特徴とする画像読取装置。
【請求項４】
原稿を載置する原稿載置台と、
この原稿載置台に設けられ、原稿を当接させて位置決めする原稿突当面を有する位置決め部材と、
この位置決め部材により位置決めされた原稿に光を走査する光走査手段と、
この光走査手段により光が走査されて前記原稿から反射される光を受光して原稿像を読取り読取り手段と、
前記位置決め部材の両端部を固定する第１及び第２の固定部材と、
前記位置決め部材に前記第１及び第２の固定部材間に位置して形成され、前記位置決め部材が熱膨張したときその膨脹分を逃がす第１及び第２の切欠部と、
前記第１及び第２の切欠部は前記原稿突当面から前記第１及び第２の固定部材を結ぶ線分に向かって形成され、その長さを前記原稿突当面から前記線分までの長さよりも大とし、かつ、幅寸法Ｗが、
式  Ｗ＝前記原稿位置決め部の熱膨脹率×厚さ寸法×幅寸法／２×温度
で得られることを特徴とする画像読取装置。
【請求項５】
原稿を載置する原稿載置台と、
この原稿載置台に設けられ、原稿を当接させて位置決めする原稿突当面を有する位置決め部材と、
この位置決め部材により位置決めされた原稿に光を走査する光走査手段と、
この光走査手段により光が走査されて前記原稿から反射される光を受光して原稿像を読取り読取り手段と、
この読取手段により読取られた画像情報に応じて像担持体に原稿像を形成する像形成手段と、
この像形成手段により形成された像担持体上の画像を被転写体に転写させる転写手段と、
前記位置決め部材の両端部を固定する第１及び第２の固定部材と、
前記位置決め部材に前記第１及び第２の固定部材間に位置して形成され、前記位置決め部材が熱膨張したときその膨脹分を逃がす第１及び第２の切欠部と、
を具備し、
前記第１及び第２の切欠部は前記原稿突当面から前記第１及び第２の固定部材を結ぶ線分に向かって形成され、その長さを前記原稿突当面から前記線分までの長さよりも大とすることを特徴とする画像形成装置。
【請求項６】
原稿を載置する原稿載置台と、
この原稿載置台に設けられ、原稿を当接させて位置決めする原稿突当面を有する位置決め部材と、
この位置決め部材により位置決めされた原稿に光を走査する光走査手段と、
この光走査手段により光が走査されて前記原稿から反射される光を受光して原稿像を読取り読取り手段と、
この読取手段により読取られた画像情報に応じて像担持体に原稿像を形成する像形成手段と、
この像形成手段により形成された像担持体上の画像を被転写体に転写させる転写手段と、
前記位置決め部材の両端部を固定する第１及び第２の固定部材と、
前記位置決め部材に前記第１及び第２の固定部材間に位置して形成され、前記位置決め部材が熱膨張したときその膨脹分を逃がす第１及び第２の切欠部と、
前記第１及び第２の切欠部は前記原稿突当面から前記第１及び第２の固定部材を結ぶ線分に向かって形成され、その長さを前記原稿突当面から前記線分までの長さよりも大とし、かつ、幅寸法Ｗが、
式  Ｗ＝前記原稿位置決め部の熱膨脹率×厚さ寸法×幅寸法／２×温度
で得られることを特徴とする画像形成装置。
【発明の詳細な説明】
【０００１】
【発明の属する技術分野】
本発明は、たとえば、電子写真装置に備えられる原稿位置決め装置、画像読取装置及び画像形成装置に関する。
【０００２】
【従来の技術】
この種の原稿位置決め装置はステイを備え、このステイに原稿スケールを取り付けている。原稿スケールには白濃度基準板が設けられている。
また、ステイには駆動ベルトが設けられ、この駆動ベルトは駆動プーリと従動プーリとの間に掛け渡されている。駆動ベルトには原稿サイズの指示針が取り付けられている。
【０００３】
原稿のサイズを表示する場合には、駆動プーリが駆動モータにより回転され、駆動ベルトが走行される。この駆動ベルトの走行により、原稿サイズ指示針が所定位置に移動されて読取原稿のサイズを表示する。
【０００４】
このように原稿のサイズが表示されたのち、この表示された部分に原稿をセットして原稿スケールの原稿突当面に突当てることにより、原稿を位置決めする。
ところで、原稿スケールは原稿サイズ指示針が装置上部より目視できなければならないため、透明なプラスチック材料等により成形されている。
【０００５】
しかし、原稿スケールがプラスチック材料の場合は、露光ランプの熱によって原稿スケールが熱変形して浮きを生じ、原稿台ガラスと原稿スケールの原稿突当面との間に隙間を生じてしまう。
【０００６】
隙間が生じると、原稿の先端が隙間に入り込んでしまい、原稿の先端位置が定まらず、画像の先端が欠けたり、原稿が斜めにセットされ画像に傾きを生じてしまう不都合があった。
【０００７】
また、原稿スケールに貼り付けられている白濃度基準板と原稿台ガラスとの間に、ちり・紙粉等が入り込んで白濃度基準板に付着し、白色基準補正に障害をきたし、画像に白すじを発生させる虞がある。
【０００８】
そこで、露光ランプの熱による原稿スケールの原稿突当面の熱変形を防ぐ為、原稿突当面をスプリング等により、原稿台ガラスに押し付けたり、原稿スケールの原稿突当面を熱変形しにくい別部材で成形したり、さらに、白濃度基準板の劣化を防止するために、白濃度基準板と共に原稿スケールを原稿台ガラスに貼り付けている。
【０００９】
【発明が解決しようとする課題】
しかしながら、原稿スケールの原稿突当面を別部材（アルミニューム窓等）により形成した場合には、原稿スケールと原稿突当面との取付精度が必要になり、組立性が悪くなるとともに、部品点数が増え、コスト高になるという問題ある。
【００１０】
また、原稿突当面を押さえ付けるスプリング等を使用した場合には、スプリングの劣化に伴う交換が必要になるとともに、スプリングの部品単体の精度も保たなければならない為、部品がコストアップしてしまう。
【００１１】
さらに、先端のみ別部材を使用し、白濃度基準板と共に原稿台ガラスに貼り付けた場合においては、白濃度基準板が劣化し交換を要する場合、原稿台ガラスごと交換しなければならないため保守性が悪いとともに、コスト高になってしまう。
【００１２】
本発明は上記事情に着目してなされたもので、原稿スケールが熱膨張しても、特別な部材を必要とすることなく、原稿載置台からの浮き上がりを防止し、原稿スケール下部への原稿の潜り込み及び白濃度基準板の汚れを防止できるようにした原稿位置決め装置、画像読取装置及び画像形成装置を提供することを目的とする。
【００１３】
【課題を解決するための手段】
上記課題を解決するため、請求項１記載のものは、原稿を載置する原稿載置台と、この原稿載置台に設けられ、原稿を当接させて位置決めする原稿突当面を有する位置決め部材と、前記位置決め部材の両端部を固定する第１及び第２の固定部材と、前記位置決め部材に前記第１及び第２の固定部材間に位置して形成され、前記位置決め部材が熱膨張したときその膨脹分を逃がす第１及び第２の切欠部とを具備し、前記第１及び第２の切欠部は前記原稿突当面から前記第１及び第２の固定部材を結ぶ線分に向かって形成され、その長さを前記原稿突当面から前記線分までの長さよりも大とすることを特徴とする。
【００１４】
請求項２記載のものは、原稿を載置する原稿載置台と、この原稿載置台に設けられ、原稿を当接させて位置決めする原稿突当面を有する位置決め部材と、前記位置決め部材の両端部を固定する第１及び第２の固定部材と、前記位置決め部材に前記第１及び第２の固定部材間に位置して形成され、前記位置決め部材が熱膨張したときその膨脹分を逃がす第１及び第２の切欠部と、前記第１及び第２の切欠部は前記原稿突当面から前記第１及び第２の固定部材を結ぶ線分に向かって形成され、その長さを前記原稿突当面から前記線分までの長さよりも大とし、かつ、幅寸法Ｗが、式  Ｗ＝前記位置決め部の熱膨脹率×厚さ寸法×幅寸法／２×温度で得られることを特徴とする。
【００１５】
請求項３記載のものは、原稿を載置する原稿載置台と、この原稿載置台に設けられ、原稿を当接させて位置決めする原稿突当面を有する位置決め部材と、この位置決め部材により位置決めされた原稿に光を走査する光走査手段と、この光走査手段により光が走査されて前記原稿から反射される光を受光して原稿像を読取り読取り手段と、前記位置決め部材の両端部を固定する第１及び第２の固定部材と、前記位置決め部材に前記第１及び第２の固定部材間に位置して形成され、前記位置決め部材が熱膨張したときその膨脹分を逃がす第１及び第２の切欠部とを具備し、前記第１及び第２の切欠部は前記原稿突当面から前記第１及び第２の固定部材を結ぶ線分に向かって形成され、その長さを前記原稿突当面から前記線分までの長さよりも大とすることを特徴とする。
【００１６】
請求項４記載のものは、原稿を載置する原稿載置台と、この原稿載置台に設けられ、原稿を当接させて位置決めする原稿突当面を有する位置決め部材と、この位置決め部材により位置決めされた原稿に光を走査する光走査手段と、この光走査手段により光が走査されて前記原稿から反射される光を受光して原稿像を読取り読取り手段と、前記位置決め部材の両端部を固定する第１及び第２の固定部材と、前記位置決め部材に前記第１及び第２の固定部材間に位置して形成され、前記位置決め部材が熱膨張したときその膨脹分を逃がす第１及び第２の切欠部と、前記第１及び第２の切欠部は前記原稿突当面から前記第１及び第２の固定部材を結ぶ線分に向かって形成され、その長さを前記原稿突当面から前記線分までの長さよりも大とし、かつ、幅寸法Ｗが、式  Ｗ＝前記原稿位置決め部の熱膨脹率×厚さ寸法×幅寸法／２×温度で得られることを特徴とする。
【００１７】
請求項５記載のものは、原稿を載置する原稿載置台と、この原稿載置台に設けられ、原稿を当接させて位置決めする原稿突当面を有する位置決め部材と、この位置決め部材により位置決めされた原稿に光を走査する光走査手段と、この光走査手段により光が走査されて前記原稿から反射される光を受光して原稿像を読取り読取り手段と、この読取手段により読取られた画像情報に応じて像担持体に原稿像を形成する像形成手段と、この像形成手段により形成された像担持体上の画像を被転写体に転写させる転写手段と、前記位置決め部材の両端部を固定する第１及び第２の固定部材と、前記位置決め部材に前記第１及び第２の固定部材間に位置して形成され、前記位置決め部材が熱膨張したときその膨脹分を逃がす第１及び第２の切欠部とを具備し、前記第１及び第２の切欠部は前記原稿突当面から前記第１及び第２の固定部材を結ぶ線分に向かって形成され、その長さを前記原稿突当面から前記線分までの長さよりも大とすることを特徴とする。
【００１８】
請求項６記載のものは、原稿を載置する原稿載置台と、この原稿載置台に設けられ、原稿を当接させて位置決めする原稿突当面を有する位置決め部材と、この位置決め部材により位置決めされた原稿に光を走査する光走査手段と、この光走査手段により光が走査されて前記原稿から反射される光を受光して原稿像を読取り読取り手段と、この読取手段により読取られた画像情報に応じて像担持体に原稿像を形成する像形成手段と、この像形成手段により形成された像担持体上の画像を被転写体に転写させる転写手段と、前記位置決め部材の両端部を固定する第１及び第２の固定部材と、前記位置決め部材に前記第１及び第２の固定部材間に位置して形成され、前記位置決め部材が熱膨張したときその膨脹分を逃がす第１及び第２の切欠部と、前記第１及び第２の切欠部は前記原稿突当面から前記第１及び第２の固定部材を結ぶ線分に向かって形成され、その長さを前記原稿突当面から前記線分までの長さよりも大とし、かつ、幅寸法Ｗが、式  Ｗ＝前記原稿位置決め部の熱膨脹率×厚さ寸法×幅寸法／２×温度で得られることを特徴とする。
【００１９】
【発明の実施の形態】
以下、本発明を図面に示す一実施の形態を参照して説明する。
図１はＡＤＦ機能付きデジタル複写機の構成を示すものである。
図中１は原稿を自動送りするＡＤＦ（自動原稿送り装置）である。このＡＤＦ１の上端部には原稿が載置されるＡＤＦトレイ２が取り付けられている。このＡＤＦ１の内部には原稿Ｇを搬送する搬送ベルト３が設けられている。搬送ベルト３の原稿搬出側には反転ローラ３ａ、フラッパ３ｂが設けられている。ＡＤＦ１の上部には排出トレイ３ｃが設けられている。なお、このＡＤＦトレイ２には原稿Ｇが載置されているか否か検出するセンサ（図示しない）が設けられている。
【００２０】
また、図中４は複写装置本体で、この複写装置本体４の上面部には読取対象物即ち原稿Ｇが載置される原稿台５が設けられている。この原稿台５の内側 (下方) には、原稿台５に載置された原稿Ｇを照明する照明ランプ６、照明ランプ６から発生される照明光を原稿Ｇに集光する反射板７、及び、原稿Ｇからの反射光を第２のキャリッジ１２に向かって反射させる光走査手段としての第１のキャリッジ９が配置されている。
【００２１】
第１のキャリッジ９には、原稿Ｇからの反射光を折曲げる第１のミラー１０が組み込まれている。第１のキャリッジ９は、原稿台５と平行に移動可能に配置され、後述するベルトなどを介して駆動モータによって、原稿台５に沿って平行に移動される。
【００２２】
第２のキャリッジ１２には、第１のキャリッジ９の第１のミラー１０を介して折曲げられた原稿Ｇからの反射光を順に折曲げる第２のミラー１３及び第３のミラー１４が互いに直角に配置されている。
【００２３】
第２のキャリッジ１２は、第１のキャリッジ９を駆動する後述するワイヤを介して第１のキャリッジ９に対して従動されるとともに、第１のキャリッジ９に対し、１／２の速度で原稿台５に沿って平行に移動される。
【００２４】
第１のキャリッジ９の下方であって、第２のキャリッジ１２を介して折返された光の光軸を含む面内には、図示しない駆動機構を介して移動可能に形成され、第１のキャリッジ１２からの反射光に集束性を与えるとともに、自身が移動することで反射光を所望の倍率で結像させる結像レンズ１７、及び、結像レンズ１７を介して集束された反射光を光電変換するとともに、画像メモリに対して原稿Ｇの画像が変換された電気信号を出力する読取手段としてのＣＣＤセンサ１８を有している。
【００２５】
画像形成部２１は、光源即ち半導体レーザ２２を含み、ＣＣＤセンサ１８を介して読み取られた原稿Ｇの画像情報に対応してレーザ２２からの光を強度変化させるとともに、記録媒体即ち感光体２４に向かわせる光学装置２５を有している。
【００２６】
光学装置２５は、レーザ２２から発生されたレーザ光に集束性を与え、概ね円形の断面形状を有するレーザ光に変換する図示しない第１レンズ、この第１レンズを介して円形の断面形状を有するレーザ光に変換された光を感光体２４の軸方向に沿って偏向させる光偏向装置２６、偏向されたレーザ光を感光体２４上の所望の位置に順次結像させるために、レーザ光の偏向角と感光体２４上における光軸からビームが結像されるべき位置までの距離を一致させる第２のレンズ２７、及び、レーザ光を感光体２４に向かって折返すミラー２８を含んでいる。
【００２７】
画像形成部２１の略中央部には、光学装置２５からのレーザ光によって、静電潜像 (画像) が形成される記録媒体即ち感光体２４が矢印方向に回転自在に配置されている。感光体２４の周囲部には、その回転方向に沿って感光体２４の表面に所定の電荷を帯電させる帯電装置３１、感光体２４に形成された静電潜像にトナーを供給することで現像する現像装置３２、用紙カセットから給送される被転写材即ち用紙Ｐを感光体２４から分離させるためＡＣ電圧印加装置３３ａを一体に有し、感光体２４に形成されたトナー像を用紙Ｐに転写させる転写装置３３、及び、感光体２４における電荷の分布を除去する一方で感光体２４の帯電特性を初期状態に戻すとともに残存トナーをかき落とすクリーニング装置３４が順に配置されている。
【００２８】
感光体２４における回転方向上流に対応する位置であって感光体２４の直下には、感光体２４に向かって用紙Ｐ、例えば、複写用紙、ＯＨＰシート等を供給するための内蔵式用紙カセット３６が挿入されている。また、感光体２４の回転方向上流に対応する位置であって感光体２４の右方には、さまざまな大きさを有する用紙Ｐを一枚づつ給送するためのバイパストレイ３７が配置されている。
【００２９】
感光体２４と用紙カセット３６との間には、カセット３６から用紙Ｐを１枚ずつ引出す給紙ローラ３８、バイパストレイ３７から供給される用紙Ｐを給送する給紙ローラ３９、給紙ローラ３８或いは３９を介して引出された用紙Ｐを感光体２４へ向かって給送するための一対の搬送ローラ４１、搬送ローラ４１から感光体２４へ向かって用紙Ｐを給送するための給送路４２、及び、用紙Ｐの傾きを補正するとともに、感光体２４上のトナー像の先端と用紙Ｐの先端とを整合させ、感光体２４における外周面の移動速度と同じ速度で用紙Ｐを給送する一対のタイミングローラ４４が配置されている。
【００３０】
感光体２４における回転方向下流に対応する位置には、感光体２４上に形成されたトナー像が転写され、トナーが静電的に付着している状態の用紙Ｐを搬送する搬送装置４６、用紙Ｐに転写されたトナーを加熱することで溶融させ、用紙Ｐに定着させる定着装置４７、及び、トナー像が定着された用紙Ｐを装置の外部へ排出させる一対の排出ローラ４８を有している。排出ローラ４８のさらに左方には、トナー像が定着された用紙Ｐがストックされる排出トレイ４９が配置されている。
【００３１】
画像形成時には、ＡＤＦ１により原稿Ｇが原稿台５に搬送されて載置され、この原稿台５に載置された原稿Ｇに第１のキャリッジ９の照明ランプ６から光が照射されるとともに、第１及び第２のキャリッジ９，１２が原稿台５に沿って走行される。この走行により原稿Ｇに光が走査され、原稿からの反射光が第１乃至第３のミラー１０，１３，１４を介して結像レンズ１７に送られる。反射光はこの結像レンズ１７で集束されてＣＣＤセンサ１８に受光され、ここで、光電変換されたのち、画像メモリに対して電気信号 (原稿Ｇの画像が変換された信号) が出力される。
【００３２】
しかるのち、ＣＣＤセンサ１８を介して読み取られた原稿Ｇの画像情報に対応してレーザ２２からレーザ光が照射される。このレーザ光は図示しない第１レンズを介して光偏向装置２６に送られ、感光体２４の軸方向に沿って偏向される。このレーザ光は第２のレンズ２７及び折返すミラー２８を介して感光体２４に照射される。感光体２４の表面は帯電装置３１により表面が一様に帯電されており、レーザ光の照射により、感光体２４上には原稿像に応じた静電潜像が形成される。この静電潜像は感光体２４の回転により、現像装置３２に送られ、現像装置３２からトナーが供給されることにより、現像されて顕像化される。このように形成されたトナー像は感光体２４の回転により、転写装置３３へ送られる。このときには、カセット３６或いはバイパストレイ３７から用紙Ｐが供給され、この用紙Ｐはタイミングローラ４４で整位されたのち、感光体２４と転写装置３３との間の画像転写部へと送り込まれる。ここで、感光体２４上のトナー像が用紙Ｐに転写される。このトナー像が転写された用紙Ｐは搬送装置４６により搬送され、定着装置４７へ送られ、ここで、トナー像は用紙Ｐに定着されたのち、排出ローラ４８を介して排出トレイ４９に排出される。
【００３３】
図２は原稿台５の一側部に設けられる原稿位置決め装置を示す平面図である。
図中５１はステイで、このステイ５１には、位置決め部材としての透明なプラスチック製の原稿スケール５２が取り付けられている。原稿スケール５２は透明なプラスチック部材により成形され、両端部が固定部材としての固定ねじ５３，５３によりステイ５１に固定されている。原稿スケール５２の裏面部には図３にも示すように、白濃度基準板５５が貼り付けられ、原稿台５に離間対向されている。白濃度基準板５５には、露光ランプ６からの光が照射されるようになっている。
【００３４】
また、原稿スケール５２の下方部には白濃度基準板５５に沿って駆動ベルト５６が設けられている。駆動ベルト５６は駆動プーリ５８と従動プーリ５９との間に掛け渡され、駆動プーリ５８には駆動モータ６０が接続されている。駆動ベルト５６には原稿のサイズを表示する指示針６２が取り付けられている。
【００３５】
原稿サイズを表示する場合には、駆動モータ６０の駆動により駆動プーリ５８が回転され、この回転により駆動ベルト５６が走行されて、指示針６２が読取原稿のサイズ幅の分だけ移動して読み取り原稿サイズ幅を表示する。ついで、この表示された原稿サイズに合わせて原稿スケール５２の原稿突当面５２ａに原稿Ｇを突当てて位置決めする。
【００３６】
図４はステイ５１及び原稿スケール５２を示す平面図である。
原稿スケール５２の両端部にはそれぞれ切欠部６４，６４が形成されている。これら切欠部６４，６４は最大サイズの原稿幅Ｈの外側（原稿スケール５２の目盛りの印字されている部分より外側）に位置されている。切欠部６４，６４は固定ねじ５３，５３を結むラインＲと原稿スケール５２の原稿突当面５２ａとの間の寸法ｌより長い寸法Ｌで深く切り込まれている。すなわち、切欠部６４，６４の寸法Ｌは寸法ｌの１．２５倍の長さで形成されている。
【００３７】
【表１】
0003730376.tif 000002
【００３８】
表１は、露光ランプ６の点灯時に、図８に示すように、原稿台５と原稿スケール５２の原稿突当面５２ａとの間に形成される最大の隙間量Ｓを、図５に示すように、原稿スケール５２に切欠部６４，６４を形成しない場合と、図６に示すように切欠部６４，６４を固定ネジ５３，５３を結ぶ線分Ｒまで短く形成した場合と、図７にも示すように切欠部６４，６４を固定ネジ５３，５３を結ぶ線分Ｒまでの距離の１．２５倍の長さまで長く形成した場合、さらに、平常温度時と温度上昇時とで比較して示すものである。
【００３９】
図９は表１の内容をグラフにして示す図である。
図９中ａ線は原稿スケール５２に切欠部６４，６４を形成しない場合における平常温度での隙間変化、ｂ線は同じく温度上昇時での隙間変化、ｃ線は切欠部６４，６４を短く形成した場合における温度上昇時での隙間変化、ｄ線は切欠部６４，６４を長く形成した場合における温度上昇時での隙間変化をそれぞれ示し、ｅ線は海外ＬＴ紙の紙厚を示すものである。
【００４０】
原稿台５と原稿スケール５２の原稿突当面５２ａの最大の隙間量Ｓは露光ランプ６の点灯により原稿スケール５２が温度６５℃に温度上昇した時でも海外ＬＴ紙の紙厚０．０８８ｍｍ以上になってはいけない。
【００４１】
切欠部６４，６４のない従来の原稿スケールの場合、通常温度時は起点（突当基準位置）より３００ｍｍの位置で０．０５ｍｍの隙間Ｓがあり、その他の位置では０．０３ｍｍの隙間Ｓがあるが、原稿が入り込むことはない。
【００４２】
従来の原稿スケールを用いて露光ランプ６を点灯させた時は、起点より１００ｍｍの位置まで０．０８８ｍｍの原稿が入り込んでしまう。
切欠部６４，６４を固定ネジ５３，５３を結ぶラインＲ上まで短く形成した場合、起点と３００ｍｍの両端で０．０８８ｍｍ以上の浮きが生じる。
【００４３】
切欠部６４，６４を原稿スケール５２の原稿突当面５２ａから固定ねじ部５３，５３までの長さｌの１．２５倍の長さＬで長く形成した場合、起点より３００ｍｍの位置で０．０４ｍｍ以上の浮きを生じている。すなわち、切欠部６４，６４を１．２５倍の長さＬで長く形成した時だけ、原稿Ｇを原稿スケール５２の原稿突当面５２ａに突き当てても、原稿Ｇが原稿台５と原稿スケール５２の原稿突当面５２ａとの間の隙間Ｓに入り込むことなく、位置決めできる。
【００４４】
原稿スケール５２が浮かなくなるのは、切欠部６４，６４を設けることでプラスチックの熱膨張を逃がすことができるからであり、その切欠部６４，６４は原稿突当面５２ａと固定点までの距離ｌの１．２５倍である。
【００４５】
なお、原稿スケール５３の切欠部６４の幅寸法Ｗは下式により求められる。
Ｗ＝原稿スケールの熱膨脹率×板厚×最高温度×幅寸法／２
したがって、たとえば、原稿スケール５３の熱膨脹率が７×１０5 ／Ｃ°、板厚が２mm、最高温度が６５Ｃ°、幅寸法が３００mmであるときの切欠部６４の幅寸法Ｗは、
0003730376.tif 000003
となる。
【００４６】
なお、式中において２で割り算しているのは、切欠部６４，６４を原稿スケール５３の２か所に形成しているためである。
但し、厳密に言うと、ｌ／２ーＷの長さであるので、それを考慮して幅を決めると、尚良い。
【００４７】
【発明の効果】
本発明は以上説明したように、原稿の位置決部材に該位置決め部材が熱膨張したときその膨脹分を逃がす切欠部を形成するため、位置決め部材の熱膨張における浮き上がりを防止できる。
【００４８】
したがって、原稿載置台と位置決部材との間に隙間が形成されず、従来のように、位置決部材の原稿突当面に原稿を突当てた時、隙間に原稿が入り込むことがない。
【００４９】
また、原稿載置台と位置決部材との間に隙間が形成されないため、ちり、紙粉等が入り込むことがなく、白色補正が正常に行われ、画像に白すじ等が発生しなくなった。
【００５０】
さらに、位置決め部材の浮き上がりを規制するための部材を特別に必要としないため、部品点数を削減でき、また、白濃度基準板の劣化に伴う部品交換時には、位置決め部材のみを交換すれば良いので、保守性が向上し、コストを削減できるという効果を奏する。
【図面の簡単な説明】
【図１】本発明の一実施の形態である電子写真装置を示す内部構成図。
【図２】原稿位置決め装置を示す平面図。
【図３】原稿位置決め装置を示す断面図。
【図４】原稿スケールを示す平面図。
【図５】原稿スケールに切欠部を形成しない状態を示す平面図。
【図６】原稿スケールに切欠部を短く形成した状態を示す図。
【図７】原稿スケールに切欠部を長く形成した状態を示す図。
【図８】原稿スケールの浮き上がりにより形成される隙間を示す図。
【図９】原稿スケールの起点からの位置と隙間量との関係を示すグラフ図。
【符号の説明】
５…原稿台ガラス（原稿載置台）
６…露光ランプ
５１…ステイ
５２…原稿スケール
５２ａ…原稿突当面
５３，５３…固定ネジ（固定部材）
５５…白濃度基準板
５６…駆動ベルト
５８…駆動プーリ
５９…カラー
６０…駆動モータ
６２…指示針
Ｇ…原稿
６４…切欠部
【図１】
0003730376.tif 000004
【図２】
0003730376.tif 000005
【図３】
0003730376.tif 000006
【図４】
0003730376.tif 000007
【図５】
0003730376.tif 000008
【図６】
0003730376.tif 000009
【図７】
0003730376.tif 000010
【図８】
0003730376.tif 000011
【図９】
0003730376.tif 000012